(57)【特許請求の範囲】
【請求項１】
マッサージ機の背凭れ部であって、
ベース部と、
前記ベース部に接合され、少なくとも前記背凭れ部の第１外観の一部を形成する、クッション性のある素材からなる第１モールド部と、
前記ベース部に接合され、少なくとも前記背凭れ部の、前記第１外観と異なる形状の第２外観の一部を形成する、クッション性のある素材からなる第２モールド部と、
被施療者に対して空気圧で施療するためのエアバッグ部と、を含み、
前記ベース部は、前記第１モールド部および前記第２モールド部に接合可能な共通形状を有し、
前記ベース部および前記第１モールド部の接合の場合と、前記ベース部および前記第２モールド部の接合の場合とを選択可能であり、
前記第１モールド部および前記第２モールド部には、エアバッグ部が取り付けられる位置の裏面側に共通形状が形成され、
前記第１モールド部および前記第２モールド部の前記共通形状は、前記共通形状の周囲と比較して、薄肉形状または孔形状からなる、マッサージ機の背凭れ部。
【請求項２】
前記第１モールド部および前記第２モールド部の少なくとも一方には、通風孔および通風溝の少なくとも一方が形成された、請求項１記載のマッサージ機の背凭れ部。
【発明の詳細な説明】
【技術分野】
【０００１】
本発明は、被施療者にマッサージを行うマッサージ機の背凭れ部およびマッサージ機に関する。
【背景技術】
【０００２】
特開２０１４−２０４９３０号公報（特許文献１）には、マッサージ機が判定した現在の体調を参照して、使用者自身が所望するマッサージコースを選択することができるマッサージ機について開示されている。
【０００３】
特開２０１４−２００４４５号公報（特許文献２）には、バックフレームにおいて背面施療ユニットの移動範囲に対応する部分の変形を抑制することができるマッサージ機について開示されている。
【０００４】
特開２０１４−１６８７２２号公報（特許文献３）には、取り外し可能な施療ユニットの背凭れ部への装着作業が容易であり、施療ユニットを装着した状態で被施療者への施療位置を調整可能であり、しかも、施療ユニットを取り外した状態ではコンパクト化することができる椅子型マッサージ機について開示されている。
【先行技術文献】
【特許文献】
【０００５】
【特許文献１】特開２０１４−２０４９３０号公報
【特許文献２】特開２０１４−２００４４５号公報
【特許文献３】特開２０１４−１６８７２２号公報
【発明の概要】
【発明が解決しようとする課題】
【０００６】
特許文献１には、被施療者が種々のマッサージを切望していることに対して解決できると記載されている。また、特許文献２には、サイドフレームを設けて変形抑制を実現していると記載されている。さらに、特許文献３には、取り外し可能な施療ユニットについて開示されている。
【０００７】
以上の特許文献においては、被施療者の嗜好に対応するよう種々開発研究がなされている。このように、被施療者の嗜好は、多数あるため、マッサージ機も多種製造する必要がある。
【０００８】
本発明の主な目的は、背凭れ部のバリエーション展開を容易に行うことができるマッサージ機の背凭れ部およびマッサージ機を提供することである。
本発明の他の目的は、背凭れ部のバリエーション展開を容易に行うことができるとともに、クッション性とエアバッグによるマッサージとの両立を実現することができるマッサージ機の背凭れ部およびマッサージ機を提供することである。
【課題を解決するための手段】
【０００９】
（１）
一局面に従うマッサージ機の背凭れ部は、マッサージ機の背凭れ部であって、ベース部と、ベース部に接合され、少なくとも背凭れ部の第１外観の一部を形成する第１モールド部と、ベース部に接合され、少なくとも背凭れ部の、第１外観と異なる形状の第２外観の一部を形成する第２モールド部と、を含み、ベース部は、第１モールド部および第２モールド部に接合可能な共通形状を有し、ベース部および第１モールド部の接合の場合と、ベース部および第２モールド部の接合の場合とを選択可能なものである。
【００１０】
この場合、ベース部に第１モールド部を取り付けたり、第１モールド部の代わりに第２モールド部を取り付けたりすることができる。
その結果、ベース部を共通部材として利用することができ、第１モールド部と第２モールド部とのいずれか一方を選択することで、マッサージ機の背凭れの外観形状を変化させることができる。また、第１モールド部および第２モールド部の素材を変化させることができる。したがって、マッサージ機の背凭れのバリエーション展開を容易に行うことができる。
【００１１】
（２）
第２の発明にかかるマッサージ機の背凭れ部は、一局面に従うマッサージ機の背凭れ部において、被施療者に対して空気圧で施療するためのエアバッグ部を含み、第１モールド部および第２モールド部の少なくとも一方におけるエアバッグ部が取り付けられる位置の裏面側に共通形状が形成されてもよい。
【００１２】
この場合、エアバッグ部が取り付けられる位置は、被施療者の背中が接触する位置である。したがって、第１モールド部および第２モールド部のいずれにおいても、当該部分を有するため、当該部分に共通形状を形成することが好ましい。
【００１３】
（３）
第３の発明にかかるマッサージ機の背凭れ部は、第２の発明にかかるマッサージ機の背凭れ部において、第１モールド部および第２モールド部の共通形状は、共通形状の周囲と比較して、薄肉形状または孔形状からなってもよい。
【００１４】
この場合、共通形状は、薄肉形状または孔形状からなる。すなわち、少なくとも凹形状を有する。その結果、第１モールド部および第２モールド部が柔らかな素材からなる場合であったとしても、薄肉形状または孔形状からなるので、第１モールド部および第２モールド部の素材に関係なく、エアバッグ部の圧力を容易に、被施療者へ与えることができる。また、第１モールド部および第２モールド部をクッション性の高い素材にすることで、クッション性とエアバッグ部による圧力マッサージの両立を効率よく被施療者に供与することができる。
【００１５】
（４）
第４の発明にかかるマッサージ機の背凭れ部は、一局面から第３の発明にかかるマッサージ機の背凭れ部において、第１モールド部および第２モールド部の少なくとも一方には、通風孔および通風溝の少なくとも一方が形成されてもよい。
【００１６】
この場合、第１モールド部および第２モールド部の少なくとも一方には、通風孔および通風溝の少なくとも一方が形成されているので、暖気または涼風を被施療者に供与することができる。
【００１７】
（Ａ）
さらに他の局面に従うマッサージ機は、座部と座部に対し立設された請求項１乃至４のいずれか１項に記載のマッサージ機の背凭れ部と、を含むものである。
【００１８】
この場合、ベース部に、第１モールド部を取り付けたり、第１モールド部の代わりに第２モールド部を取り付けたりすることができる。
その結果、ベース部を共通部材として利用することができ、第１モールド部と第２モールド部とのいずれか一方を選択することで、マッサージ機の背凭れの外観形状を変化させることができる。また、第１モールド部および第２モールド部の素材を変化させることができる。したがって、マッサージ機の背凭れのバリエーション展開を容易に行うことができる。その結果、マッサージ機のバリエーション展開を容易に行うことができる。
【図面の簡単な説明】
【００１９】
【図１】本発明の実施形態による椅子式マッサージ機の構成を示す斜視図である。
【図２】背凭れ部の構造の一例を示す模式図である。
【図３】背凭れ部の接合部を説明するための模式図である。
【図４】モールドウレタン部の他の例を示す模式図である。
【図５】モールドウレタン部の他の例を示す模式図である。
【図６】モールドウレタン部の他の例を示す模式図である。
【図７】モールドウレタン部の他の例を示す模式図である。
【図８】背凭れ部の構造の他の例を示す模式図である。
【図９】背凭れ部の接合部の他の例を説明するための模式図である。
【図１０】背凭れ部の接合部の他の例を説明するための模式図である。
【図１１】背凭れ部の接合部の他の例を説明するための模式図である。
【発明を実施するための形態】
【００２０】
以下、図面を参照して、本発明の実施形態を詳しく説明する。図中同一又は相当部分には同一符号を付してその説明を繰り返さない。なお、説明をわかりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２１】
[実施の形態]  
図１は、本発明の実施形態による椅子式マッサージ機１００の構成を示す斜視図である。
図１に示すように、本発明の実施形態による椅子式マッサージ機１００は、座部２００、腰エアバッグ部２５０、背凭れ部３００、基台部４００、制御部４５０、腕施療部５００、操作部７００、スタンド８００および脚載部９００を備える。
【００２２】
なお、以下の説明において、図１に示すように、椅子式マッサージ機１００においては、座部２００に背凭れ部３００が形成された側を後側（ＢＡＣＫ）と仮定し、後側（ＢＡＣＫ）と逆側を前側（ＦＲＯＮＴ）と仮定し、それぞれ、左側（ＬＥＦＴ）および右側（ＲＩＧＨＴ）と、上側（ＵＰ）および下側（ＤＯＷＮ）とを仮定する。  
【００２３】
図１に示すように、椅子式マッサージ機１００の背凭れ部３００は、被施療者の肩、腰、背中を支持するとともに、前後方向に起倒可能に形成される。また、背凭れ部３００には、背エアバッグ部が設けられ、背エアバッグ部には、１または複数の反復膨張する膨縮袋３８０（図３参照）（エアー施療部）が内蔵され、該膨縮袋３８０（図３参照）により被施療者の背部を支持しつつ施療する。
また、背凭れ部３００には、施療子（一対の揉み玉）がガイドレールに沿って上下方向に移動可能に内蔵されている。施療子は、揉み、叩き、ローリングなどの多様な施療動作が可能なよう、一対の揉み玉で形成される。
【００２４】
図１の座部２００に立設して設けられた腰エアバッグ部２５０には、１または複数の反復膨張する膨縮袋（エアー施療部）が内蔵され、該膨縮袋により被施療者の臀部を支持しつつ施療する。また、脚載部９００は、座部２００および基台部４００の前端に軸支され、脚載部９００自体が回動可能に設けられている。
脚載部９００においては、１または複数の反復膨張する膨縮袋（図示略）が設けられており、該膨縮袋により被施療者の脚を施療する。
【００２５】
また、腕施療部５００は、図１の座部２００の左右両側に立設して設けられる。腕施療部５００には、１または複数の反復膨張する膨縮袋（図示略）が内蔵され、該膨縮袋により被施療者の腕を支持しつつ施療する。
【００２６】
さらに、制御部４５０は、一対の施療子、１または複数の膨縮袋の動作を制御する。特に、本実施の形態において、制御部４５０は、複数の膨縮袋のそれぞれを個別に動作させることができる。
【００２７】
次に、本実施の形態にかかる背凭れ部３００の一例について説明を行う。図２は、背凭れ部３００の構造の一例を示す模式図であり、図３は、背凭れ部３００の接合部を説明するための模式図である。
【００２８】
図２に示すように、背凭れ部３００は、主にベースとなる背フレーム３１０、ベースブロウ部３２０、およびモールドウレタン部３３０からなる。
本実施の形態における背凭れ部３００において、モールドウレタン部３３０に布縫製部材または革縫製部材等を覆う点については、記載を省略する。
【００２９】
背フレーム３１０は、少なくとも金属からなるフレームを含む。なお、背フレーム３１０には、樹脂部品が取り付けられてもよい。
次に、ベースブロウ部３２０は、背フレーム３１０の少なくとも一部を覆うように形成され、単純な形状で、かつ最小限の形状からなる。また、ベースブロウ部３２０は、突起形状部３２５を有する。なお、ベースブロウ部３２０の素材は、樹脂からなる。また、ベースブロウ部３２０は、樹脂に限定されず、ゴム等、任意の硬度を有する部材からなってもよい。
【００３０】
次に、モールドウレタン部３３０は、クッション性の高い素材からなる。例えば、硬質発泡部材、または軟質発泡部材等からなる。モールドウレタン部３３０の裏面には、凹部３３５が形成されている。
【００３１】
図３に示すように、モールドウレタン部３３０の表面で、膨縮袋３８０が設けられる位置に、モールドウレタン部３３０およびベースブロウ部３２０の接合部が設けられる。当該接合部は、突起形状部３２５および凹部３３５からなる。図３においては、突起形状部３２５は、台形錐からなり、凹部３３５は台形錐と嵌合する形状からなる。
【００３２】
図３に示すように、突起形状部３２５を形成することにより、モールドウレタン部３３０の厚みを少なくすることができる。
その結果、膨縮袋３８０は、主に硬度の高い突起形状部３２５により支持されるので、被施療者に対して施療効果を維持することができる。すなわち、膨縮袋３８０が膨張した場合でも、凹部３３５のモールドウレタン部３３０の厚みが薄いので、モールドウレタン部３３０によるクッション性によってマッサージ力が低下し、被施療者に圧力を供与できないことを防止できる。
また、突起形状部３２５および凹部３３５が複数箇所形成されているので、モールドウレタン部３３０がずれにくいという効果を得ることができる。
図３に示すように、本実施の形態における接合部は、凹凸形状からなったが、これに限定されず、孔と突起部嵌合、その他の嵌合形状、係合形状等、その他任意の接合形状からなってもよい。
【００３３】
次に、図４から図７までは、モールドウレタン部３３０の他の例を示す模式図である。
【００３４】
図４に示すように、モールドウレタン部３４０は、モールドウレタン部３３０と密度の異なるウレタンからなる。すなわち、モールドウレタンは、密度が高くなるにつれて硬度を有するからである。
その他、ソフトタッチウレタンフォーム、ラバータッチウレタンフォーム、高硬度ウレタンフォーム、低反発ウレタンフォーム、チップウレタンフォームのいずれを用いても良い。
また、モールドウレタン部３４０の裏面には、凹部３３５が形成されている。
【００３５】
次に、図５に示すように、モールドウレタン部３５０は、モールドウレタン部３３０，３４０と形状が異なる。モールドウレタン部３５０の裏面には、所定の位置に凹部３３５が形成されている。
同様に、図６に示すモールドウレタン部３６０は、モールドウレタン部３３０，３４０，３５０と形状が異なる。モールドウレタン部３６０の裏面には、所定の位置に凹部３３５が形成されている。
【００３６】
最後に、図７に示すモールドウレタン部３７０は、モールドウレタン部３３０から３６０までと形状が異なる。モールドウレタン部３７０の裏面には、所定の位置に凹部３３５が形成されている（図示省略）。
また、図７に示すように、モールドウレタン部３７０には、通気性を高めるための複数の通気孔３７５および通風溝３７６が形成されている。この複数の通気孔３７５および通風溝３７６により暖気または涼風を被施療者の背中に供与することができる。
【００３７】
なお、本実施の形態においては、モールドウレタン部３３０から３７０までにおいて外観形状が大きく異なる場合について説明を行っているが、これに限定されず、外観形状が同じで、素材のクッション性が異なってもよい。
【００３８】
次いで、本実施の形態にかかる背凭れ部３００の他の例について説明する。図８は、背凭れ部３００の構造の他の例を示す模式図である。以下、図８においては、図２の背凭れ部３００と異なる点についてのみ説明を行う。
【００３９】
図８に示すように、背凭れ部３００は、主にベース部３１５およびモールドウレタン部３３０からなる。
ベース部３１５は、骨組みに樹脂部品およびベースブロウ部等が設けられたものである。
図８に示す背凭れ部３００には、それぞれ４個の突起形状部３２５および凹部３３５が形成される。
【００４０】
図８に示すように、突起形状部３２５および凹部３３５が、それぞれ４個ずつ形成されているので、モールドウレタン部３３０が、さらにずれにくいという効果を得ることができる。
なお、図８においては、同形状の４個の突起形状部３２５および凹部３３５を形成しているが、これに限定されず、対応する突起形状部３２５および凹部３３５の組み合わせであればよく、異形状の突起形状部３２５および凹部３３５を複数セット形成してもよい。
【００４１】
次に、図９から図１１までは、背凭れ部の接合部の他の例を説明するための模式図である。
【００４２】
まず、図９に示すように、モールドウレタン部３３０の表面で、膨縮袋３８０が設けられる位置に、モールドウレタン部３３０およびベースブロウ部３２０の接合部が設けられる。当該接合部は、突起形状部３２６および凹部３３６からなる。図９においては、突起形状部３２６は、四角柱からなり、凹部３３６は四角柱と嵌合する形状からなる。
【００４３】
次に、図１０に示すように、モールドウレタン部３３０の表面で、膨縮袋３８０が設けられる位置に、モールドウレタン部３３０およびベースブロウ部３２０の接合部が設けられる。当該接合部は、突起形状部３２７および円孔部３３７からなる。図１０においては、突起形状部３２７は、円筒からなり、円孔部３３７は円筒と嵌合する形状からなる。
なお、図１０においては、突起形状部３２７が円筒からなることとしているが、これに限定されず、矩形筒、角柱、錐、その他の任意の突起形状からなってもよい。また、円孔部３３７は、突起形状部３２７と嵌合する形状であれば、任意の形状を採用することができる。
【００４４】
最後に、図１１に示すように、モールドウレタン部３３０の表面で、膨縮袋３８０が設けられる位置に、モールドウレタン部３３０およびベースブロウ部３２０の接合部が設けられる。当該接合部は、突起形状部３２８および凹部３３８からなる。図１１においては、突起形状部３２８は、鍵状からなり、凹部３３８は鍵状と嵌合する形状からなる。
【００４５】
以上のように、本実施の形態にかかる椅子式マッサージ機１００または背凭れ部３００においては、背フレーム３１０にベースブロウ部３２０が取り付けられる。背フレーム３１０にベースブロウ部３２０を取り付けた状態で、モールドウレタン部３３０を取り付けたり、モールドウレタン部３３０の代わりにモールドウレタン部３４０からモールドウレタン部３７０までのいずれか１つを取り付けたりすることができる。
その結果、背フレーム３１０およびベースブロウ部３２０を共通部材として利用することができ、モールドウレタン部３３０からモールドウレタン部３７０までのいずれか１つを選択して取り付けることで、マッサージ機の背凭れの外観形状を変化させることができる。また、モールドウレタン部３３０からモールドウレタン部３７０までのいずれか１つの素材を選択することにより、マッサージ機の背凭れの素材を変化させることができる。したがって、マッサージ機の背凭れ部３００のバリエーション展開を容易に行うことができる。
【００４６】
また、膨縮袋３８０（エアバッグ部）が取り付けられる位置は、被施療者の背中が接触する位置である。したがって、モールドウレタン部３３０からモールドウレタン部３７０までのいずれにおいても、被施療者の背中をサポートする部分を有するため、膨縮袋３８０（エアバッグ部）が取り付けられる位置に共通形状である突起形状部３２５および凹部３３５からなる接合部を形成することが好ましい。
【００４７】
さらに、新たなマッサージ機１００のバリエーション展開を行う場合においても、共通形状である凹部３３５を新たなモールドウレタン部に形成することで容易に製造することができる。その結果、設計および品質検証等の作業工数を削減することができる。
【００４８】
また、背凭れ部３００に４個の突起形状部３２５および凹部３３５を形成することにより、モールドウレタン部３３０が、さらにずれにくいという効果を得ることができる。
さらに、図９から図１１までに示すように、突起形状部３２６および凹部３３６、突起形状部３２７および円孔部３３７、突起形状部３２８および凹部３３８の組み合わせにより、さらにモールドウレタン部３３０が、ずれにくくなるという効果を得ることができる。
【００４９】
（実施形態における各部と請求項の各構成要素との対応関係）
本発明において、マッサージ機１００が、「椅子式マッサージ機」に相当し、座部２００が「座部」に相当し、背凭れ部３００が「背凭れ部」に相当し、背フレーム３１０およびベースブロウ部３２０、ベース部３１５が「ベース部」に相当し、ウレタンモールド部３３０が「第１モールド部」に相当し、モールドウレタン部３４０からモールドウレタン部３７０までの少なくとも１つが、「第２モールド部」に相当し、突起形状部３２５および凹部３３５、突起形状部３２６および凹部３３６、突起形状部３２７および円孔部３３７、突起形状部３２８および凹部３３８が「共通形状」に相当し、膨縮袋３８０が「エアバッグ部」に相当し、凹部３３５、凹部３３６、円孔部３３７、凹部３３８が「薄肉形状」に相当し、通風孔３７５が「通風孔」に相当し、通風溝３７６が「通風溝」に相当する。
【００５０】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５１】
１００  椅子式マッサージ機
２００  座部
３００  背凭れ部
３１０  背フレーム
３１５  ベース部
３２０  ベースブロウ部
３２５  突起形状部
３２６  突起形状部
３２７  突起形状部
３２８  突起形状部
３３０，３４０，３５０，３６０，３７０  ウレタンモールド部
３３５  凹部
３３６  凹部
３３７  円孔部
３３８  凹部
３７５  通風孔
３７６  通風溝
３８０  膨縮袋
【図１】
0006739953.tif 000002
【図２】
0006739953.tif 000003
【図３】
0006739953.tif 000004
【図４】
0006739953.tif 000005
【図５】
0006739953.tif 000006
【図６】
0006739953.tif 000007
【図７】
0006739953.tif 000008
【図８】
0006739953.tif 000009
【図９】
0006739953.tif 000010
【図１０】
0006739953.tif 000011
【図１１】
0006739953.tif 000012